(57)【要約】【課題】適度な力で簡単に屈曲させることができ、かつ、化粧料の塗布中にはその姿勢をそのまま維持できる姿勢安定性の良好な化粧料容器を提供する。【解決手段】化粧料を収容する容器本体１０と、容器本体１０に対して着脱可能に保持されるとともに容器本体１０内の化粧料を取り出して塗布する塗布具２０と、を備え、塗布具２０は、操作部２１と、操作部２１に対して屈曲可能に接続され、先端に塗布体２３を有する塗布ロッド２２とを有し、操作部２１及び塗布ロッド２２の何れか一方側に軸部３２が設けられ、他方側に軸部３２を揺動可能に保持する軸受部４０が設けられており、軸部３２が、球面部３２ａと、球面部３２ａの周縁から径方向外側に向けて突出する環状のフランジ部３２ｂとを有し、軸受部４０が、球面部３２ａを収容する球面収容部４１と、フランジ部３２ｂを位置決め保持するフランジ保持部４２とを有することを特徴とする。【選択図】図１
2018051039.tif 000002
【特許請求の範囲】
【請求項１】
化粧料を収容する容器本体と、
該容器本体に対して着脱可能に保持されるとともに該容器本体内の化粧料を取り出して塗布する塗布具と、を備え、
前記塗布具は、操作部と、該操作部に対して屈曲可能に接続され、先端に塗布体を有する塗布ロッドとを有し、
前記操作部及び前記塗布ロッドの何れか一方側に軸部が設けられ、他方側に該軸部を揺動可能に保持する軸受部が設けられており、
前記軸部が、球面部と、該球面部の周縁から径方向外側に向けて突出する環状のフランジ部とを有し、
前記軸受部が、前記球面部を収容する球面収容部と、該球面収容部の周縁に設けられ前記フランジ部を位置決め保持するフランジ保持部とを有することを特徴とする化粧料容器。
【請求項２】
前記フランジ保持部が、軸方向に隣接配置された複数の位置決め凹部を有する、請求項１に記載の化粧料容器。
【請求項３】
前記軸部と前記軸受部との間に、前記塗布ロッドの回転を抑制する回転抑制部が設けられている、請求項１又は２に記載の化粧料容器。
【請求項４】
前記回転抑制部が、前記軸部に設けられた凸部と、前記軸受部に設けられ該凸部を収容する凹部とで構成されている、請求項３に記載の化粧料容器。
【請求項５】
前記フランジ保持部が、径方向外側に弾性変形可能に構成された複数の弾性片によって形成されている、請求項１〜４の何れか一項に記載の化粧料容器。
【請求項６】
前記フランジ部は、前記軸部の中心軸を通る縦断面視で円弧状の輪郭を形成する曲面形状を有する、請求項１〜５の何れか一項に記載の化粧料容器。
【請求項７】
前記操作部が、前記容器本体の口部に装着される装着筒部で構成されている、請求項１〜６の何れか一項に記載の化粧料容器。
【発明の詳細な説明】
【技術分野】
【０００１】
本発明は、化粧料を収納する容器本体と化粧料容器に関する。
【背景技術】
【０００２】
マスカラ等の化粧料容器は、化粧料を収納する容器本体と、この容器本体を閉塞するとともにその取り外しに際して容器本体内の化粧料を適量取り出すことができる塗布体（塗布用チップ）を有する塗布ロッドを一体的に備えた塗布具からなっている。
【０００３】
かかる化粧料容器としては、例えば、キャップ部分を取り外して塗布ロッドを容器本体から引き抜くことで化粧料の塗布を可能としつつ、化粧料を塗布する際の作業をより簡便にし、しかも均一塗布を可能とするため塗布用チップを塗布ロッドに対して屈曲させる構造のものが開発されている（特許文献１参照）。
【先行技術文献】
【特許文献】
【０００４】
【特許文献１】実公平４−４５６２６号公報
【発明の概要】
【発明が解決しようとする課題】
【０００５】
ところで、従来の化粧料容器は、塗布用チップを屈曲させる際に大きな力を要したり、化粧料の塗布中に塗布用チップの屈曲度合いが簡単に変ってしまったりして、塗布姿勢の安定性に問題を残している。
【０００６】
それゆえ本発明は、適度な力で簡単に屈曲させることができ、かつ、化粧料の塗布中にはその姿勢をそのまま維持できる姿勢安定性の良好な化粧料容器を提供することを目的とする。
【課題を解決するための手段】
【０００７】
本発明は、上記課題を解決するためになされたものであり、本発明の化粧料容器は、化粧料を収容する容器本体と、
該容器本体に対して着脱可能に保持されるとともに該容器本体内の化粧料を取り出して塗布する塗布具と、を備え、
前記塗布具は、操作部と、該操作部に対して屈曲可能に接続され、先端に塗布体を有する塗布ロッドとを有し、
前記操作部及び前記塗布ロッドの何れか一方側に軸部が設けられ、他方側に該軸部を揺動可能に保持する軸受部が設けられており、
前記軸部が、球面部と、該球面部の周縁から径方向外側に向けて突出する環状のフランジ部とを有し、
前記軸受部が、前記球面部を収容する球面収容部と、該球面収容部の周縁に設けられ前記フランジ部を位置決め保持するフランジ保持部とを有することを特徴とするものである。
【０００８】
また、本発明の化粧料容器にあっては、前記フランジ保持部が、軸方向に隣接配置された複数の位置決め凹部を有することが好ましい。
【０００９】
また、本発明の化粧料容器にあっては、前記軸部と前記軸受部との間に、前記塗布ロッドの回転を抑制する回転抑制部が設けられていることが好ましい。
【００１０】
また、本発明の化粧料容器にあっては、前記回転抑制部が、前記軸部に設けられた凸部と、前記軸受部に設けられ該凸部を収容する凹部とで構成されていることが好ましい。
【００１１】
また、本発明の化粧料容器にあっては、前記フランジ保持部が、径方向外側に弾性変形可能に構成された複数の弾性片によって形成されていることが好ましい。
【００１２】
また、本発明の化粧料容器にあっては、前記フランジ部は、前記軸部の中心軸を通る縦断面視で円弧状の輪郭を形成する曲面形状を有することが好ましい。
【００１３】
また、本発明の化粧料容器にあっては、前記操作部が、前記容器本体の口部に装着される装着筒部で構成されていることが好ましい。
【発明の効果】
【００１４】
本発明によれば、適度な力で簡単に屈曲させることができ、かつ、化粧料の塗布中にはその姿勢をそのまま維持できる姿勢安定性の良好な化粧料容器を提供することができる。
【図面の簡単な説明】
【００１５】
【図１】本発明の一実施形態である化粧料容器を一部断面で示す側面図である。
【図２】（ａ）は、図１に示す化粧料容器の部分拡大断面図であり、（ｂ）は、図２（ａ）に示すＡ−Ａ線における断面図である。
【図３】図１の化粧料容器における塗布具の屈曲状態を示す側面図である。
【図４】本発明の他の実施形態である化粧料容器を一部断面で示す側面図である。
【図５】図４に示す化粧料容器の部分拡大断面図である。
【図６】図４の化粧料容器における塗布具の屈曲状態を示す側面図である。
【発明を実施するための形態】
【００１６】
以下、図面を参照して、本発明をより具体的に例示説明する。なお、本明細書において、「上」とは、化粧料容器を起立姿勢で水平面上に載置した際に容器本体に対して塗布具が位置する側（図１の上側）であり、「下」とは、その反対側（図１の下側）である。
【００１７】
図１に示すように、本発明の一実施の形態である化粧料容器１は、容器本体１０と、容器本体１０に対して着脱可能に保持されるとともに容器本体１０内の化粧料を取り出して塗布する塗布具２０と、を備えている。
【００１８】
容器本体１０は、円筒状の口部１１を備え、口部１１の下方に胴部１２及び底部１３が設けられている。容器本体１０の内部が、化粧料の収容空間Ｓとなっている。本実施形態では、口部１１の内側に嵌合保持されたしごき部材１４を備えている。しごき部材１４には、径方向内側に向けて下方に傾斜するしごき片１４ａが設けられている。しごき片１４ａは、後述するブラシ２３に対する化粧料の付着度合いを調整する機能を有している。
【００１９】
塗布具２０は、操作部２１と、操作部２１に対して任意の方向に屈曲可能に接続された塗布ロッド２２と、を備えている。塗布ロッド２２の先端には塗布体としてのブラシ２３が設けられている。塗布具２０は、容器本体１０の口部１１に着脱可能に螺着される装着筒部２４を備えており、装着筒部２４は、塗布ロッド２２の基端側に配置されている。図１に示す容器本体１０への装着状態において、塗布具２０の塗布ロッド２２は容器本体１０の内部（収容空間Ｓ）に配置される。
【００２０】
操作部２１は、先端（上端）に向けて縮径する把持部３１と、把持部３１の内側に固定された軸部３２とを備えている。
【００２１】
ここで、図２（ａ）は、図１の部分拡大図であり、図２（ｂ）は、図２（ａ）に示すＡ−Ａ線における断面図である。図１及び図２（ａ）に示すように、軸部３２は、一端（上端）側が把持部３１の内側に固定されており、他端（下端）側が、装着筒部２４の内側に配置された軸受部４０に対して揺動可能に保持されている。また軸部３２は、装着筒部２４に形成された孔２４ａを貫通している。孔２４ａは、装着筒部２４の内面から外面に向けて拡径しており、操作部２１に対して塗布ロッド２２を屈曲させる際に軸部３２の変位を阻害しないようにしている。また、孔２４ａは、図１に示す初期状態及び図３に示す屈曲状態において、把持部３１に覆われており、外観の悪化を防止するとともにごみの侵入を抑制している。
【００２２】
軸部３２は、球面部３２ａと、球面部３２ａの周縁から径方向外側に向けて突出する環状のフランジ部３２ｂとを有する。本実施形態において球面部３２ａは、略半球状となっており、球面部３２ａの曲率中心は、操作部２１の中心軸Ｃ１上に位置している。なお、球面部３２ａの曲率中心は、軸部３２が軸受部４０に対して揺動する際の揺動中心となる。また、本実施形態では、操作部２１の中心軸Ｃ１と、軸部３２の中心軸とは同一直線上に位置する。図２（ａ）に示すように、フランジ部３２ｂは、中心軸Ｃ１を通る縦断面視で円弧状の輪郭を形成する曲面形状を有している。
【００２３】
軸部３２は、フランジ部３２ｂの外面から径方向外側に向けて突出する回転抑制部としての凸部３２ｃを有している。凸部３２ｃは、周方向の１箇所のみに設けてもよいし、周方向に間隔を空けて複数箇所に設けてもよい。本例では、図２（ｂ）に示すように、６つの凸部３２ｃが周方向に均等配置されている。
【００２４】
軸受部４０は、球面部３２ａを収容する球面収容部４１と、球面収容部４１の周縁に設けられ、フランジ部３２ｂを位置決め保持するフランジ保持部４２とを有している。本実施形態において、軸受部４０は、装着筒部２４の内側に配置されている。具体的に、軸受部４０は、塗布ロッド２２の基端部に一体に設けられた有底筒状の嵌合部２５と、装着筒部２４の内側で嵌合部２５に対向配置された筒状部材２６とで形成されている。
【００２５】
球面収容部４１は、嵌合部２５の底面に形成されており、その表面形状は、塗布ロッド２２の中心軸Ｃ２上に曲率中心が位置する球面状となっている。本実施形態において球面収容部４１の曲率中心の位置は、球面部３２ａの曲率中心に一致している。また、塗布ロッド２２の中心軸Ｃ２と軸受部４０の中心軸とは同一直線上に位置する。なお、球面収容部４１の表面形状は球面状に限られるものではない。
【００２６】
フランジ保持部４２は、軸方向に隣接配置された複数の位置決め凹部４２ａ、４２ｂ、４２ｃを有している。本実施形態においてフランジ保持部４２は、軸方向に隣接配置された第１凹部４２ａ、第２凹部４２ｂ、第３凹部４２ｃからなる３つの位置決め凹部を有している。第１凹部４２ａ、第２凹部４２ｂ、及び第３凹部４２ｃは、それぞれフランジ部３２ｂの外面形状に一致する形状を有している。図１、図２（ａ）に示す初期状態では、第２凹部４２ｂにフランジ部３２ｂが嵌合し、位置決め保持されている。フランジ保持部４２は、軸受部４０に対して軸部３２が所定の角度で保持されるようにフランジ部３２ｂを位置決め保持可能な形状を有していればよく、図示した形状に限定されるものではない。
【００２７】
フランジ保持部４２は、嵌合部２５に設けた第１弾性片２５ａと、筒状部材２６に設けた第２弾性片２６ａとで構成されている。第１弾性片２５ａ及び第２弾性片２６ａは、塗布ロッド２２の中心軸Ｃ２に垂直な面に対して対称な形状となっている。なお、第１弾性片２５ａ及び第２弾性片２６ａは、中心軸Ｃ２に垂直な面に対して対称な形状となっていなくてもよい。この場合、第１弾性片２５ａと第２弾性片２６ａの接触面を、軸部３２の凸部３２ｃとは異なる高さ位置に設けることが好ましい。このような構成とすることにより、凸部３２ｃによる回転抑制力を向上させることができる。
【００２８】
また、図２（ｂ）に示すように、本実施形態では、塗布ロッド２２の中心軸Ｃ２を中心として６つの第１弾性片２５ａが周方向に均等配置されている。また、６つの第２弾性片２６ａがそれぞれ第１弾性片２５ａと同じ周方向位置に設けられている。中心軸Ｃ２を挟んで対向配置される一対の第１弾性片２５ａ及び第２弾性片２６ａで、フランジ部３２ｂを挟み込むように保持している。
【００２９】
また、周方向に隣接する第１弾性片２５ａの間の凹部２５ｂ、及び、周方向に隣接する第２弾性片２６ａの凹部２６ｂに、軸部３２の凸部３２ｃが入り込み回転抑制部を構成している。なお、回転抑制部は必須の構成ではなく、軸受部４０に対して軸部３２が軸線周りで回転する構成としてもよい。
【００３０】
第１弾性片２５ａ及び第２弾性片２６ａの径方向外側には、第１弾性片２５ａ及び第２弾性片２６ａの径方向外側への弾性変形を可能にするための環状空間２７が形成されている。
【００３１】
第１弾性片２５ａの内面には、第２凹部４２ｂの半部（下側半部）と、第３凹部４２ｃが形成されている。また、第２弾性片２６ａの内面には、第２凹部４２ｂの半部（上側半部）と、第１凹部４２ａが形成されている。
【００３２】
第１弾性片２５ａ及び第２弾性片２６ａが径方向外側に弾性変形することにより、フランジ保持部４２が拡径する。これにより、フランジ部３２ｂが、第１凹部４２ａ、第２凹部４２ｂ、及び第３凹部４２ｃの間でスムーズに移動可能となる。
【００３３】
本実施形態では、塗布ロッド２２の基端部に設けられた大径の嵌合部２５が、装着筒部２４の内周面に嵌合している。嵌合部２５は、装着筒部２４に対してアンダーカット係合することで抜け止め保持されている。また、嵌合部２５と装着筒部２４とは、周方向に設けた凹凸形状が係合することにより、中心軸Ｃ２周りで回転しないよう構成されている。
【００３４】
装着筒部２４の内側には、嵌合部２５とともに軸受部４０を構成する筒状部材２６が配置されている。筒状部材２６は、塗布ロッド２２の嵌合部２５と装着筒部２４の頂壁との間で挟持されることによって、抜け止め保持されている。
【００３５】
筒状部材２６と嵌合部２５とは、筒状部材２６と嵌合部２５との相互間に設けた凹凸形状が周方向に係合することにより、中心軸Ｃ２周りで相互に回転しないよう構成されている。
【００３６】
図１に示す初期状態から、操作部２１の把持部３１を把持して塗布ロッド２２に屈曲方向の所定の力を加えると、軸部３２に対して相対的に軸受部４０が揺動し、フランジ部３２ｂが、第２凹部４２ｂから第１凹部４２ａまたは第３凹部４２ｃに移動する。このようにして、操作部２１に対して塗布ロッド２２を簡単に屈曲させることができる（図３参照）。なお、図１に示す塗布具２０は、操作部２１の中心軸Ｃ１と塗布ロッド２２の中心軸Ｃ２とが同一直線上に位置する状態（屈曲していない状態）で容器本体１０に装着されているが、これに限られず、図３に示す屈曲状態で容器本体１０に装着することも可能である。
【００３７】
なお、図３に示す屈曲状態において、図３における中心軸Ｃ２の左側に位置する第１凹部４２ａにフランジ部３２ｂが嵌り込み、中心軸Ｃ２の右側に位置する第３凹部４２ｃにフランジ部３２ｂが嵌り込んでいる。これにより、軸受部４０に対して軸部３２が位置決め保持されるため、塗布ロッド２２の屈曲状態で姿勢を安定させることができる。
【００３８】
以上説明したように、本実施形態に係る化粧料容器１は、操作部２１に設けられた軸部３２と、塗布ロッド２２の基端部に設けられ軸部３２を揺動可能に保持する軸受部４０とを備えている。また、軸部３２が球面部３２ａとフランジ部３２ｂとを有し、軸受部４０が球面部３２ａを収容する球面収容部４１と、フランジ部３２ｂを位置決め保持するフランジ保持部４２とを有している。
【００３９】
したがって、本実施形態に係る化粧料容器１によれば、塗布ロッド２２を操作部２１に対して適度な力で簡単に屈曲させることができ、かつ、化粧料の塗布中にはその姿勢をそのまま維持できる良好な姿勢安定性を確保することができる。
【００４０】
また、化粧料容器１にあっては、フランジ保持部４２が、軸方向に隣接配置された第１凹部４２ａ、第２凹部４２ｂ、及び第３凹部４２ｃからなる３つの位置決め凹部を有する構成としたことにより、段階的に塗布ロッド２２を屈曲させることができ、予め設定された屈曲角度で位置決めすることができる。
【００４１】
また、化粧料容器１にあっては、フランジ保持部４２が、径方向外側に弾性変形可能に構成された複数の第１弾性片２５ａ及び第２弾性片２６ａによって形成されているため、塗布ロッド２２をより簡単に屈曲させることができる。
【００４２】
なお、弾性変形可能な第１弾性片２５ａ及び第２弾性片２６ａの復元力を利用して、図１に示す初期状態からフランジ部３２ｂをフランジ保持部４２で圧接保持する構成としてもよい。このような構成とすることにより、操作部２１に対する塗布ロッド２２の姿勢安定性を高めることができる。すなわち、フランジ部３２ｂの外径よりも、フランジ保持部４２の内径が小さくなるように設定することで、軸部３２を保持する軸受部４０の保持力が高まり、塗布ロッド２２の姿勢がさらに安定する。
【００４３】
また、化粧料容器１にあっては、軸部３２と軸受部４０との間に回転抑制部を設けたことにより、把持部３１を把持した状態で塗布ロッド２２が中心軸Ｃ２周りで回転しないため、塗布ロッド２２の姿勢安定性をさらに高めることができる。
【００４４】
さらに、化粧料容器１にあっては、軸部３２と軸受部４０との間に回転抑制部を設け、把持部３１と装着筒部２４とが相互に空転しない構成としている。このような構成により、容器本体１０の口部１１に対する装着筒部２４の着脱の際に、把持部３１を回転させることで装着筒部２４を回転させることができる。
【００４５】
また、化粧料容器１にあっては、フランジ部３２ｂが縦断面視で円弧状の輪郭を形成する曲面形状を有するため、スムーズに第１凹部４２ａ、第２凹部４２ｂ、及び第３凹部４２ｃ間で移動でき、さらに簡単に塗布ロッド２２を屈曲させることができる。
【００４６】
また、化粧料容器１にあっては、球面部３２ａの大部分が球面収容部４１に当接する構成としており、これにより、軸受部４０に対する軸部３２の位置が安定し易くなる。なお、球面部３２ａと球面収容部４１とは、相互に滑らかに摺動可能である。
【００４７】
また、本実施形態では、図１、２に示す初期状態のみならず、図３に示す屈曲状態においても常に球面部３２ａが球面収容部４１の表面に当接する構成としているため、軸受部４０に対する軸部３２の位置を常に安定させることができ、屈曲動作も安定させることができる。
【００４８】
以下に、図４〜６を参照して本発明の他の実施形態について説明する。図５は、図４に示す化粧料容器２の部分拡大断面図であり、図６は、図４の化粧料容器２における塗布具２０の屈曲状態を示す側面図である。なお、上述した実施形態と基本的な機能が同一である部分は、図中、同一の符号を付して説明を省略する。
【００４９】
先の実施形態の化粧料容器１では、操作部２１側に軸部３２を設け、塗布ロッド２２側に軸受部４０を設ける構成としていたが、本実施形態の化粧料容器２では、操作部２１側に軸受部４０を設け、塗布ロッド２２側に軸部３２を設ける構成としている。
【００５０】
図４〜６に示すように、塗布具２０は、操作部２１としての装着筒部２４と、装着筒部２４に対して屈曲可能に接続された塗布ロッド２２とを備えている。本実施形態では、軸部３２が、塗布ロッド２２と一体に設けられている。具体的には、塗布ロッド２２の基端部に、先の実施形態と同様の球面部３２ａ、フランジ部３２ｂ、及び凸部３２ｃが設けられている。
【００５１】
装着筒部２４の内側には、軸受部４０が形成されている。具体的に、軸受部４０は、装着筒部２４の内側に嵌合保持された嵌合部材１２５と、装着筒部２４の内側で嵌合部材１２５に対向配置された筒状部材１２６とで形成されている。本実施形態では操作部２１の中心軸Ｃ１と、軸受部４０の中心軸とが同一直線上に位置し、塗布ロッド２２の中心軸Ｃ２と、軸部３２の中心軸とが同一直線上に位置する。
【００５２】
嵌合部材１２５は、装着筒部２４の内周面に嵌合する筒状の側壁１２５ａと、側壁１２５ａの一端を閉塞する頂壁１２５ｂと、頂壁１２５ｂから突出する第１弾性片１２５ｃとを有する。頂壁１２５ｂには球面収容部４１が形成されている。第１弾性片１２５ｃの形状は先の実施形態における第１弾性片２５ａと同様であり、筒状部材１２６に設けた第２弾性片１２６ａの形状は先の実施形態における第２弾性片２６ａと同様である。すなわち、第１弾性片１２５ｃ及び第２弾性片１２６ａによって形成されるフランジ保持部４２の構成は先の実施形態と同様である。
【００５３】
以上説明したように、本実施形態に係る化粧料容器２は、塗布ロッド２２を操作部２１としての装着筒部２４に対して適度な力で簡単に屈曲させることができ、かつ、化粧料の塗布中にはその姿勢をそのまま維持できる良好な姿勢安定性を確保することができる。
【００５４】
本実施形態に係る化粧料容器２は、装着筒部２４を操作部２１として用いるとともに、塗布ロッド２２と一体に軸部３２を設けていることにより、部品数を減らしてコストの削減及び構造の簡易化を図ることが可能となる。
【００５５】
本発明は前記実施の形態に限定されるものではなく、その要旨を逸脱しない範囲で種々変更可能である。例えば、装着筒部２４は、ネジ部により口部１１に装着する構成に限らず、相互凹凸形状を設けることにより口部１１にアンダーカット係合する構成としてもよい。また、フランジ保持部４２は、円筒状としてもよい。また、フランジ保持部４２が弾性変形せずに、フランジ部３２ｂが弾性変形する構成としてもよい。さらに、フランジ保持部４２は、位置決め凹部４２ａ、４２ｂ、４２ｃを有しない構成としてもよい。
【符号の説明】
【００５６】
１        化粧料容器
２        化粧料容器
１０      容器本体
１１      口部
１２      胴部
１３      底部
１４      しごき部材
１４ａ    しごき片
２０      塗布具
２１      操作部
２２      塗布ロッド
２３      ブラシ（塗布体）
２４      装着筒部
２４ａ    孔
２５      嵌合部
２５ａ    第１弾性片
２５ｂ    凹部（回転抑制部）
２６      筒状部材
２６ａ    第２弾性片
２６ｂ    凹部（回転抑制部）
２７      環状空間
３１      把持部
３２      軸部
３２ａ    球面部
３２ｂ    フランジ部
３２ｃ    凸部（回転抑制部）
４０      軸受部
４１      球面収容部
４２      フランジ保持部
４２ａ    第１凹部（位置決め凹部）
４２ｂ    第２凹部（位置決め凹部）
４２ｃ    第３凹部（位置決め凹部）
１２５    嵌合部材
１２５ａ  側壁
１２５ｂ  頂壁
１２５ｃ  第１弾性片
１２６    筒状部材
１２６ａ  第２弾性片
Ｃ１      操作部の中心軸
Ｃ２      塗布ロッドの中心軸
Ｓ        収容空間
【図１】
2018051039.tif 000003
【図２】
2018051039.tif 000004
【図３】
2018051039.tif 000005
【図４】
2018051039.tif 000006
【図５】
2018051039.tif 000007
【図６】
2018051039.tif 000008